Podtech/llm-jp-corpus-v4-ja_patent huggingface dataset:
(57)【要約】      （修正有）【課題】室内にセットし、積極的に捕獲しやすく、また、人体や環境にやさしく、安全なコバエ捕獲器を提供する。【解決手段】有底の四角筒状のケーシング本体１を設け、本体１の内側面中途には、上げ底板部２を設け、上げ底板部２の中央には、ケーシング本体１の内幅αと同一、若しくは幅狭の寸法を有し、且つ表・裏両面に粘着剤３を塗布したリボン４の末端部４ａを固定して設け、リボン４をケース本体１内でジグザグ状に折り畳み、リボン４の先端部４ｂには吊り下げ用の穴５を設け、上げ底板部２には、下部に通じる穴部を１または複数個設け、穴内に、コバエを誘引する素材Ｘを収納する部屋７を設ける。【選択図】図１
0003187440.tif 000002
【実用新案登録請求の範囲】
【請求項１】
有底の四角筒状のケーシング本体（１）を設け、該本体（１）の内側面中途には、上げ底板部（２）を設け、該上げ底板部（２）の中央には、前記ケーシング本体（１）の内幅（α）と同一、若しくは幅狭の寸法を有し、且つ表・裏両面に粘着剤（３）を塗布したリボン（４）の末端部（４ａ）を固定して設け、前記リボン（４）をケース本体（１）内でジグザグ状に折り畳み、該リボン（４）の先端部（４ｂ）には吊り下げ用の穴（５）を設け、該上げ底板部（２）には、下部に通じる穴部（６）を１または複数個設け、該穴内に、コバエを誘引する素材（Ｘ）を収納する部屋（７）を設けたことを特徴とするコバエ捕獲器。
【考案の詳細な説明】
【技術分野】
【０００１】
この考案は、コバエ捕獲器に関するものであり、特に、屋内で発生するコバエの捕獲を目的とした捕獲器である。
【背景技術】
【０００２】
従来、コバエは、ショウジョウバエなどの小さなハエの総称であり、ショウジョウバエ、キノコバエ、ノミバエ、チョウバエ等が含まれ、室内で飛遊されると不潔であり、また、鬱陶しいものであった。
【０００３】
このように、コバエはハエの一種ではなく、前記のそれぞれのコバエもそれぞれの生態があって、見た目にも似ており、それぞれの種類によって発生場所が異なり駆除が困難であった。
【０００４】
それに対して、従来よりコバエもハエの捕獲も、依然として長年用いられているハエ取りリボン紙を使用したりしている。
【０００５】
しかし、このハエ取りリボン紙は、あまり捕獲できないものであった。その原因は、厨ごみにおける残飯や食物をポリ袋に入れて捨てている匂いの方に虫が集まり、その結果、リボンの方には偶然とまるコバエ程度しか捕獲できないものであった。
【０００６】
また、近年ストロー状の筒体の表面に粘着剤を塗布し、これを円板状の固定盤に複数本差し込んで固定して卓上でコバエを捕獲する捕獲器が存在している。
【０００７】
しかし、この捕獲器は、表面に粘着剤を塗布したストローが、一本づつ、フィルム状の袋に収納されており、これを取り出す際、ストローに塗布した粘着剤が袋の内面に付着しており、取り出し難く、使いがっての悪いものであった。
【考案の概要】
【考案が解決しようとする課題】
【０００８】
そこで、この考案の課題は、室内に簡単にセットでき、人体や環境にやさしく安全であり、また、積極的に捕獲しやすいコバエ捕獲器を開発・提供することにある。
【課題を解決するための手段】
【０００９】
そこでこの考案は、上記の課題を解決すべく、ケーシング内に、リボンを折り畳んで収納でき、且つ、ケーシング内には、コバエを誘引できる天然物である素材を入れておくコバエ捕獲器である。
【考案の効果】
【００１０】
この考案によると、リボン（３）はジグザグ状に折り畳まれてケーシング本体（１）内に収納されているため、従来の巻いた状態のリボン（３）より引っ張り出し易いとの効果を奏する。
【００１１】
また、ケーシング本体（１）の底部には部屋（６）を形成し、内部にコバエを誘引する素材（Ｘ）を入れているため、該ケーシング本体から臭うため、コバエ（Ｙ）を直接、誘引することができるため、効果は覿面であり、従来の３〜５倍を捕獲でき、しかも、素材（Ｘ）は安全なものであり極めて有益なる効果を奏する。
【００１２】
さらに、使用後には一般ゴミとして廃棄処理でき、誘引する素材は化学薬品を使用することなく、環境る優しく、一般のハエを含む虫にも当然対応でき、ランニングコストも安価である等の効果を奏するものである。
【図面の簡単な説明】
【００１３】
【図１】この考案の一実施例を示す一部欠截正面図である。
【図２】この考案の一実施例を示す一部欠截側面図である。
【図３】図１中ａ−ａ拡大平面図である。
【図４】この考案の折り畳み収納状態を示す説明図である。
【図５】この考案の使用状態を示す斜視図である。
【図６】この考案の使用の結果状態を示す斜視図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
先ず、この考案の一実施例を図１に基づいて詳述すると、有底の四角筒状のケーシング本体（１）を設け、該本体（１）の内側面中途には、上げ底板部（２）を設け、該上げ底板部（２）の中央には、前記ケーシング本体（１）の内幅（α）と同一、若しくは幅狭の寸法を有し、且つ表・裏両面に粘着剤（３）を塗布したリボン（４）の末端部（４ａ）を固定して設け、前記リボン（４）をケース本体（１）内でジグザグ状に折り畳み、該リボン（４）の先端部（４ｂ）には吊り下げ用の穴（５）を設け、該上げ底板部（２）には、下部に通じる穴部（６）を１または複数個設け、該穴内に、コバエ（Ｙ）を誘引する素材（Ｘ）を収納する部屋（７）を設けたことを特徴とするコバエ捕獲器から構成される。
【００１６】
尚、リボン（４）の末端部（４ａ）並びに先端部（４ｂ）には、所定の幅、粘着剤（３）を塗布しない部分を設けており、セットする際、手に粘着剤（３）が付着しないよう配慮されている。
【００１７】
また、コバエ（Ｙ）を誘引する素材（Ｘ）の一例としては、固形物であれば臭いでつられる魚の小片であったり、さらに臭いを拡大させるよう水も一緒に入れるものである。
【００１８】
さらに、コバエ（Ｙ）を誘引する素材（Ｘ）が液状物であれば、例えば、果実ジュースやビールの飲み残しを入れることも効果があるものである。
【００１９】
さらに、リボン（４）の長さ寸法は、家庭のキッチンに配置してあるシンクの高さ寸法に合わせて検討すればよい。
【００２０】
また、吊り下げた場合、ケーシング本体（１）が錘の役目を果たし、風等でリボン（４）が揺れることがない。
【産業上の利用可能性】
【００２１】
この考案のコバエ捕獲器の技術を確立し、実施することにより、産業上利用できるものである。
【符号の説明】
【００２２】
１  ケーシング本体
２  上げ底板部
α  内幅寸法
３  粘着剤
４  リボン
４ａ  リボン末端部
４ｂ  リボン先端部
５  吊り下げ用の穴
６  穴
７  部屋
Ｘ  誘引する素材
Ｙ  コバエ
【図１】
0003187440.tif 000003
【図２】
0003187440.tif 000004
【図３】
0003187440.tif 000005
【図４】
0003187440.tif 000006
【図５】
0003187440.tif 000007
【図６】
0003187440.tif 000008
(57)【要約】      （修正有）【課題】多種多様な物に、カメラを取り付けることができるカメラ取り付け規格のネジを有した両ネジを提供する。【解決手段】片一方がＵＮＣ１／４規格のネジであって他の一方側を木ネジとしたことを特徴とする。木ネジ部をスキーのストックや傘等様々な物に取付け、さらにＵＮＣ１／４規格のネジにカメラを取り付ける。これにより、様々なシーンでカメラ撮影が可能となる。【選択図】図１
0003187435.tif 000002
【実用新案登録請求の範囲】
【請求項１】
片一方がUNC1/4規格のネジで、もう一方を木ネジとした両ネジ
【考案の詳細な説明】
【技術分野】
【０００１】
G03B 17/56 01AA01, 02AA02, 23AA23,
【背景技術】
【０００２】
カメラの三脚や一脚は既に世界中で使われています。
その取付けにはUNC1/4規格のネジが統一して採用されています。
自転車にバンドで取り付けるカメラ台やペットボトルの上部に取り付けるカメラ台は既に出回っています。
【考案の概要】
【考案が解決しようとする課題】
【０００３】
写真を撮る時に三脚を所持していなくては集合写真を撮ることが困難となります。
場面１）スキーをする時に三脚を持参してゲレンデに行くわけにもいきません。
場面２）傘やカメラは行楽に持参しても三脚や一脚は邪魔になるので、最初から使用する予定がなければ持参しません。
このような場面で集合写真の撮影をしたくなった場合や身長よりも高い場所からのアングルでの撮影をしたくなった時にカメラを固定するものがなくて困ることがあります。
【課題を解決するための手段】
【０００４】
予めスキーのストックの先や傘の柄の部分にカメラ固定用ネジ(UNC1/4規格）を取り付けておく
【考案の効果】
【０００５】
当案の製品により、スキー場で即席に使える一脚を提供する。
また、傘に取り付けたものは急に固定して撮影したいものに出会った時に即席で使える一脚を提供する。
このネジを利用してステイを作成することで自転車やヘルメットへのビデオカメラの取り付けを可能にします。
【図面の簡単な説明】
【０００６】
【図１】（側面図）右側がカメラ、ビデオ等の底部三脚取付穴に取り付ける部分となります。カメラの向きがどちらを向いても問題はないので、取付ネジの長さ調節は致しません。左側が対象物への取り付けネジ部となり、対象物によって必要な長さが変わります。但し、太さはスキーのストックで使用されることが多いM4タッピンネジを採用しております。（上面図）取付時に8mmのスパナで締めることができるように２つの面を垂直に切り落とします。
【図２】スキーのストックのハンドルの部分です。上部に、グリップと腕に通す輪を接続するネジが付いていますので、それを当案のネジに差し替えます。
【図３】使用中のイメージです。ストックにカメラを取り付けたら、そのストックを雪面に突き刺して立てます。その後は通常の三脚同様にシャッタータイマーを利用して集合写真の撮影をします。
【図４】傘に取り付けるイメージです。グリップの先に４ｍｍの穴をあけて当案のネジを取り付けます。必要な時にカメラやビデオを取り付けることで、ブレの少ない写真を撮るための一脚として、または高い場所からのアングル撮影に利用します。
【実施例】
【０００７】
スキーのストックの手持ち部分の上部ネジを付け替えることでスキー場での使用が可能になる
傘の柄の部分に４ｍｍの穴をあけ、取り付けることで常時持ち歩ける一脚になる。
自転車に取り付けることで、ビデオを設置することができる
壁等に取り付けることで定点監視カメラを取り付けることができる。
【図１】
0003187435.tif 000003
【図２】
0003187435.tif 000004
【図３】
0003187435.tif 000005
【図４】
0003187435.tif 000006
(57)【要約】      （修正有）【課題】安価で新設場所が要らないオストメイト用トイレを、現有のトイレを利用し、補助具を追加する事で実現することができるオストメイト用トイレ補助具を提供する。【解決手段】洋式トイレ４、又は、和式トイレに、筒状のトイレ補助具１ａを立てて設置する事により、オストメイト用トイレとして使用可能になるトイレ補助具である。筒状のトイレ補助具１ａの下部に鍔をつけて、その鍔を洋式トイレ４及和式トイレの縁に置けるようにしたことを特徴とする。【選択図】図４
0003187438.tif 000002
【実用新案登録請求の範囲】
【請求項１】
洋式トイレ、又は、和式トイレに、筒状のトイレ補助具を立てて設置する事により、オストメイト用トイレとして使用可能になることを特徴とするトイレ補助具。
【請求項２】
前記筒状のトイレ補助具の下部に鍔をつけて、その鍔を洋式トイレ及和式トイレの縁に置けるようにしたことを特徴とする請求項１記載のトイレ補助具。
【請求項３】
前記筒状のトイレ補助具の上部に飛散防止壁をつけて、排泄物を排出する時、飛散しない様にしたことを特徴とする請求項１又は２に記載のトイレ補助具。
【考案の詳細な説明】
【技術分野】
【０００１】
オストメイト者用トイレの補助具に関するものである。
【背景技術】
【０００２】
汚物流しやシャワー付のオストメイト対応トイレはある。
【０００３】
現有の洋式トイレや和式トイレを使用し、立ったままで排せつ物をストーマ装具から排出している。
【考案の概要】
【考案が解決しようとする課題】
【０００４】
オストメイト対応トイレを設置するには新設場所が必要である。現有のトイレでは低いため、水様性便、軟便が落ちた時飛び散ったり、的が外れて周囲が汚れる。又、不安感がある。
【課題を解決するための手段】
【０００５】
現有トイレを利用する。現有トイレの上部とストーマ装具の間に筒状の補助具を設置する。
【考案の効果】
【０００６】
新設場所が不要で、排せつ物を補助具の中に排出するので、飛び散らない利点と周囲が汚れない安心感がある。
【図面の簡単な説明】
【０００７】
【図１】トイレ補助具の基本形
【図２】トイレ補助具の応用形
【図３】トイレ補助具不使用時の置台
【図４】トイレ補助具を洋式トイレにセットした所
【図５】トイレ補助具を和式トイレにセットした所
【考案を実施するための形態】
【０００８】
安価で新設場所が要らないオストメイト用トイレを、現有のトイレを利用し、補助具を追加する事で実現した。
【０００９】
現有トイレでは排せつ物が飛び散るという不安感を解消する目的で、複雑な機構を追加せず実現した。
【実施例】
【００１０】
図１の１ａは、本考案の筒状で、樹脂類、ゴム、ビニール、紙、ブリキ等からなるトイレ補助具である。上部開口部に排せつ物を排出する。筒は円筒、楕円、四角柱等である。不使用時、コンパクトにする為、巻物型、蛇腹型、折たたみ型等にしてもよい。６はトイレ補助具１ａ内面を洗浄する為の水銃である。
【００１１】
図２の１ｂは応用型である。開口部の飛散防止壁１ｂ−１は飛散防止を高める為、向こう側、約半周分、０〜３０ｃｍ高くしている。下部の３は洋式トイレの上縁に置いたり、和式トイレの縁に置いたりする為の鍔である。トイレ補助具の安定性を増すことができる鍔である。全周又は部分的に鍔を付けてもよい。
【００１２】
図３の２はトイレ補助具不使用時に置く盆状の置台である。トイレ補助具より若干大きい。
【００１３】
次に洋式トイレでの使用方法について図４で説明する。洋式トイレ４にトイレ補助具１ａを立てる。鍔がある場合は鍔をトイレの上部の縁に置く。１ａの上部開口部に排せつ物を排出する。排出後、水銃６で１ａの内面を洗浄し、その後置台２の上に置く。
【００１４】
次に和式トイレでの使用方法について図５で説明する。和式トイレ５にトイレ補助具１ａを立てる。鍔がある場合は鍔をトイレの縁に置く。１ａの上部開口部に排せつ物を排出する。排出後、水銃６で１ａの内面を洗浄し、その後置台２の上に置く。
【００１５】
洋式トイレ４及、和式トイレ５に、トイレ補助具１ａを立てて、上部開口部に小便をすれば、男子小便器として使用可能になる特徴を合わせ持つ。
【産業上の利用可能性】
【００１６】
男子が大便器に小便をする今日、小便の飛沫や的はずれによる便器及周辺の汚れが気になるところ。本考案を使用すれば男子の小便器として適用できる。
【符号の説明】
【００１７】
１ａ      トイレ補助具
１ｂ      トイレ補助具
１ｂ−１  飛散防止壁
２        置台
３        鍔
４        洋式トイレ
５        和式トイレ
６        水銃
【図１】
0003187438.tif 000003
【図２】
0003187438.tif 000004
【図３】
0003187438.tif 000005
【図４】
0003187438.tif 000006
【図５】
0003187438.tif 000007
(57)【要約】      （修正有）【課題】寝袋背面の腰部に取付けられているファスナーを開くことで、着用者が寝袋を着用した状態で臀部を露出することができ、その結果、寝袋を着用した状態でトイレに行き、用を足すことができる人型寝袋を提供する。【解決手段】寝袋背面の腰部の１ヶ所に、着用者の胴体に対して垂直方向に取付けられた７０〜９０ｃｍ長のトイレ用ファスナー１を有することを特徴とする。【選択図】図１
0003187410.tif 000002
【実用新案登録請求の範囲】
【請求項１】
人型形状の寝袋背面の腰部の１ヶ所に、着用者の胴体に対して垂直方向に取付けられた７０〜９０ｃｍ長のファスナー（１）。
【考案の詳細な説明】
【技術分野】
【０００１】本考案は人型形状の寝袋の腰部に取付けられた、ファスナー構造に関するものである。
【背景技術】
【０００２】人型形状の寝袋とは、通常の寝袋がミノ虫形状、または封筒形状をしていることに対して、手足を分離させ、人体に沿った形に成形された寝袋である。【０００３】人型形状になっていることにより、通常の寝袋に比べ、自由な動きをとることが可能である。【０００４】しかしながら従来の人型形状の寝袋には臀部を露出させるための構造が無く、トイレで用を足すためには寝袋を脱ぐ必要があった。
【考案の概要】
【考案が解決しようとする課題】
【０００５】本考案は、以上のような従来の問題点を解決するため、人型形状の寝袋から臀部を露出できるようにすることを目的としている。
【課題を解決するための手段】
【０００６】図面について説明すれば、寝袋背面の腰部の１カ所に７０〜９０ｃｍ長のファスナー（１）を取付ける構造である。ファスナーは着用者の胴体に対して、垂直方向に取付けられている。そのファスナー（１）を開くことで、着用者が臀部を露出することを可能にする。
【考案の効果】
【０００７】寝袋背面の腰部に取付けられているファスナー（１）を開くことで、着用者が寝袋を着用した状態で臀部を露出することができる。その結果、寝袋を着用した状態でトイレに行き、用を足すことが可能となった。
【図面の簡単な説明】
【０００８】
【図１】人型形状の寝袋の背面部から見た平面図
【図２】人型形状の寝袋の腰部の断面図
【符号の説明】
【０００９】１はファスナー、２は方向を示すためのもので腹部側が図面で上部にあることを表す。
【図１】
0003187410.tif 000003
【図２】
0003187410.tif 000004
【手続補正書】
【提出日】平成25年8月29日(2013.8.29)
【手続補正１】
【補正対象書類名】実用新案登録請求の範囲
【補正対象項目名】全文
【補正方法】変更
【補正の内容】
【実用新案登録請求の範囲】
【請求項１】
寝袋背面の腰部の１ヶ所に、着用者の胴体に対して垂直方向に取付けられた７０〜９０ｃｍ長のトイレ用ファスナー（１）を有する人型寝袋。
(57)【要約】      （修正有）【課題】接続電線が短絡しても断線しても報知器内の継電器が作動する様にして、盗難を報知できる盗難報知器を提供する。【解決手段】コンパレーター集積回路を内蔵した本体箱に外部機器構成用端子台を設け、離れた外部の被盗難物１に小箱に入れた降電圧用抵抗器２を置き、抵抗器両端にそれぞれの電線を結線して、被盗難物を移動しようとすると必ずその電線が切断する様に被盗難物の柱に巻き付けたり小孔を経て通線して、本体箱に設けた端子台に接続し、それ等の電線が切断又は短絡されると警報信号を発報する様にしたことを特徴とする。【選択図】図１
0003187403.tif 000002
【実用新案登録請求の範囲】
【請求項１】
被盗難物の方に降電圧用抵抗器を置き、２本の電線で接続し、その電線が切断されても短絡されても警報信号を発報する盗難報知器。
【考案の詳細な説明】
【技術分野】
【０００１】本考案は盗難の報知器に関するものである。
【背景技術】
【０００２】接続電線が短絡すると電気回路がショートし報知器内の継電器が不作動になる事がある
【考案の概要】
【考案が解決しようとする課題】
【０００３】接続電線が短絡しても断線しても報知器内の継電器が作動する様にして、盗難を報知したい。
【課題を解決するための手段】
【０００４】降電圧用の抵抗器を被盗難物の方に置き、報知器内の継電器の励磁回路に２本の電線で接続して、抵抗器を経て降電圧された電圧に合った動作定格電圧の継電器を常時動作させておく。併設した抵抗器を経ない高い電圧に合った動作定格電圧の継電器は不足電圧状態で動作しない。
この電線を断線させると継電器は無励磁となり警報を発報する。この電線を短絡させると抵抗器がジャンパーされた状態となり動作定格電圧の高い継電器が動作し警報を発報する様にする。一旦警報が出ると２本の電線は操作回路から切り離し電気回路がショートしない様にしておく。
【考案の効果】
【０００５】犯人が盗難物を持ち出そうとする時、接続している電線は必ず切り離されるがその時それを感知して警報報知すれば犯行を中止させる事もあり得る。
【図面の簡単な説明】
【０００６】
【図１】  本考案の構成図である
【図２】  本考案の操作回路図である
【考案を実施するための形態】
【０００７】被盗難物に降電圧用抵抗器を入れた箱を置き、報知器内に動作定格電圧の異なる２台の継電器を併設し、両者を２本の電線で接続する。
【実施例】
【０００８】以下、本考案の一実施例について説明する。
図１において、本考案の構成図である。１の被盗難物に設置された２の降電圧用抵抗器を入れた箱は３の２本の電線で４の報知器に結線されている。
被盗難物を持ち出そうとする場合必ず電線は切り離され、それにより警報を発報する様にした。【０００９】図２において、本考案の操作回路図である。５の降電圧用抵抗器は６の低い動作定格電圧の継電器が動作する電圧を発生する様な抵抗値に設定してある。
７は抵抗器をジャンパーした時に動作する高い動作定格電圧の継電器である。
８のオンディレー継電器は低い動作定格電圧の継電器のＢ接点か又は高い動作定格電圧の継電器のＡ接点により動作して９の出力端子より信号を発報する。
【符号の説明】１    被盗難物
２    降電圧用抵抗器を入れた箱
３    ２本の電線
４    報知器
５    降電圧用抵抗器
６    低い動作定格電圧の継電器
７    高い動作定格電圧の継電器
８    オンディレー継電器
９    出力端子
【図１】
0003187403.tif 000003
【図２】
0003187403.tif 000004
【手続補正書】
【提出日】平成25年9月4日(2013.9.4)
【手続補正１】
【補正対象書類名】実用新案登録請求の範囲
【補正対象項目名】全文
【補正方法】変更
【補正の内容】
【実用新案登録請求の範囲】
【請求項１】
コンパレーター集積回路等を内蔵した本体箱に外部機器構成用端子台を設け、離れた外部の被盗難物等に小箱に入れた降電圧用抵抗器を置き、抵抗器両端にそれぞれの電線を結線して、被盗難物を移動しようとすると必ずその電線が切断する様に被盗難物の柱に巻き付けたり小孔を経て通線して、本体箱に設けた端子台に接続し、それ等の電線が切断又は短絡されると警報信号を発報する様にした盗難報知器。
【手続補正２】
【補正対象書類名】明細書
【補正対象項目名】０００４
【補正方法】変更
【補正の内容】
【０００４】離れた場所に置いた降電圧用抵抗器を経たコンパレーター集積回路の入力電圧値は連結した電線が切断されたり短絡されたりすると変化する。被盗難物を移動させる時必ず電線は切断されるか短絡される様にその柱に巻きつけたり小孔を経て接続しておき、それにより装置を作動させて警報を発する様にする。
【手続補正３】
【補正対象書類名】明細書
【補正対象項目名】０００９
【補正方法】変更
【補正の内容】
【０００９】
【符号の説明】
１  被盗難物の構造柱
２  小箱に入れた降電圧用抵抗器
３  構造柱にまきつけた往接続電線
４  帰接続電線
５  外部機器構成用端子台
６  盗難報知器本体箱
７  低電圧コンパレーターＩＣ
８  高電圧コンパレーターＩＣ
９  低電圧基準電圧用抵抗器
１０  高電圧基準電圧用抵抗器
１１  ブザー
【手続補正４】
【補正対象書類名】図面
【補正対象項目名】全図
【補正方法】変更
【補正の内容】
【図１】
0003187403.tif 000005
【図２】
0003187403.tif 000006
(57)【要約】      （修正有）【課題】ひとりひとりの目の大きさや好みに合わせてことによって，装着時に違和感のないより自然なツケマツゲをオーダーメード制作するオーダーメードのツケマツゲを提供する。【解決手段】土台となるマツゲ１をまぶたの大きさに合わせて切り、土台となるツケマツゲ１に接着剤を使用し、マツゲ用仮毛２を装着する。ひとりひとりにあったツケマツゲとなるように制作するため、装着時の違和感が減少される。【選択図】図２
0003187408.tif 000002
【実用新案登録請求の範囲】
【請求項１】
土台となるつけまつ毛に接着剤を使用して，まつげ用の仮毛を装着する。
【請求項２】
ひとりひとりのまぶたの大きさ，瞳の位置，まつ毛の長さを考慮してオーダーメード制作する。
【考案の詳細な説明】
【技術分野】
【０００１】本考案はつけつけまつ毛をよりひとりひとりの目元により合わせたつけまつ毛に関する。
【背景技術】
【０００２】従来のつけまつ毛は目の大きさは人それぞれ違うのに同じデザインを量産しているものがある。
【考案の概要】
【考案が解決しようとする課題】
【０００３】現状，つけまつ毛はデザインが豊富とはいえ，ひとりひとりの目の大きさ，まつ毛の長さやデザインの好みが一致する商品を探すのは困難である。
【問題を解決しようとするための手段】
【０００４】土台となるつけまつ毛をひとりひとりの目の大きさに合わせて切り，そのつけまつ毛に好みの長さやデザインのまつ毛用仮毛を接着する。
【考案の効果】
【０００５】まぶたや目の大きさに合わせて制作するため，装着時の違和感が減少される。またひとりひとりのデザインを重視できるため，使用者の満足度が高い。
【図面の簡単な説明】
【図１】ひとりひとりに合わせてつけまつ毛のデザインの決め方を示した図である。まぶたの大きさと瞳の位置を確認する。
【図２】土台となるつけまつ毛に接着剤を使用し，仮毛を装着の仕方を示した図である。
【符号の説明】１  土台となるつけまつ毛
２  まつ毛用の仮毛
３  仕上がり図
【図１】
0003187408.tif 000003
【図２】
0003187408.tif 000004
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
土台となるツケマツゲに接着剤を使用し，マツゲ用仮毛を装着したことを特徴とするオーダーメードのツケマツゲ。
(57)【要約】      （修正有）【課題】消費後にゴミとして捨てられていた缶容器を家庭やオフイスの道具入れとして活用できる菓子缶容器を提供する。【解決手段】円筒状の菓子缶容器１の透明や不透明のプラステイック容器の蓋２に鉛筆、定規ほかの文房具を挿入出来る複数の任意の形状の穴３，４を設ける。蓋を任意の色で着色し、蓋の表面には穴と同様の形状を印刷した埃よけ用の粘着性のある保護シールを備える。【選択図】図１
0003187402.tif 000002
【実用新案登録請求の範囲】
【請求項１】
円筒状などの菓子缶容器（１）の透明や不透明のプラステイックなどの蓋（２）に鉛筆、定規などの文房具を挿入出来る複数の任意の形状の穴（３）を設けたことを特徴とする菓子缶容器。
【請求項２】
請求項１記載の菓子缶容器に備わる蓋（２）には色のレパートリーを増やすために任意の色で着色出来るものとする。
【請求項３】
菓子缶容器（１）の蓋（２）の表面には請求項１の穴（３）の同様の形状を印刷してなる埃よけ用の粘着性のある保護シール（９）を備えることを特徴とする菓子缶容器。
【請求項４】
菓子缶容器の蓋（２）の材質は透明プラステイックのほか、不透明、半透明プラステイック、ポリエチレンテレフタレート、塩ビ、ポリエステル、ポリスチレーレン、ポリプロピレンなど内容物の必要に応じて採用するのもとする。
【請求項５】
本願考案の蓋を備える菓子缶容器は乳飲料用、コーヒー飲料用容器も含まれるものとする。
【考案の詳細な説明】
【技術分野】
【０００１】  本考案は、円筒形の菓子缶容器、及び飲料容器に使用される紙製及びポリエチレン製の蓋に各種の形状の複数の穴を開けて、それらの穴の形状に合う鉛筆や定規、ハサミみなどを差しこんで収納出来ることを特徴とした菓子缶容器、飲料缶容器などの容器の蓋の構造に関する。
【背景技術】
【０００２】  当該蓋に開ける穴の形やサイズの種類は、以下の種類が製作出来る。例えば、鉛筆などの文具用品用、ピンセット、ドライバーなどの工具類用が差しん込める形状の穴などを製作、提供されれば本願考案の消費者層の拡大も期待される。
【考案の概要】
【考案が解決しようとする課題】
【０００３】  当該キャップの色の種類は、透明プラステイック、半透明の他に、赤色や、青色、黄色、ピンク色など複数着色すれば楽しい室内インテリア容器にもなるので
本願考案は容器内の内容物の消費後に利用されることを特徴とする。
【課題を解決するための手段】
【０００４】  当該缶容器内の食べものを食べ終えて使用の終わった蓋の保護シールを剥がせば、穴の開いた蓋が現れるので、その穴に文具類をそのまま収納出来る。
【考案の効果】
【０００５】  、これまでは缶の中身であるポテトチップスや、清涼飲料水などの消費後に多くはゴミとして捨てられていた缶容器が家庭やオフイスの道具入れとして活用で便利になり、消費者は不要不急の鉛筆立ての購入が不要となり、焼却ごみとしての缶容器の削減も期待出来る。
【考案を実施するための形態】
【０００６】  穴の形状を印刷して成る保護シールを剥がせば、実際の各種の穴の開いた蓋が現れる。その穴の形状に合う鉛筆や、定規などを挿入して本願考案の菓子缶容器の蓋がそのまま鉛筆立てとなる。
【図面の簡単な説明】
【０００７】
【図１】  本願考案の実施例を示した斜視図である。
【図２】  本願考案の保護シールの平面図である。
【図３】  保護シールを剥がした状態の本願考案の蓋の平面図である。
【図４】  本願考案の菓子缶容器に密着シールの位置を表した正面図である。
【図５】  本願考案の菓子缶容器に蓋を被せた正面図である。
【符号の説明】
【０００８】１・・・・・・・・・・菓子缶容器
２・・・・・・・・・・蓋
３・・・・・・・・・・円形の穴
４・・・・・・・・・・長方形の穴
５・・・・・・・・・・ハサミ
６・・・・・・・・・・定規
７・・・・・・・・・・鉛筆
８・・・・・・・・・・商品広告ラベル
９・・・・・・・・・・穴の形状を印刷して成る保護シール
１０・・・・・・・・・印刷されてなる三角形
１１・・・・・・・・・印刷されてなる円形
１２・・・・・・・・・密封シール
【図１】
0003187402.tif 000003
【図２】
0003187402.tif 000004
【図３】
0003187402.tif 000005
【図４】
0003187402.tif 000006
【図５】
0003187402.tif 000007
【手続補正書】
【提出日】平成25年9月6日(2013.9.6)
【手続補正１】
【補正対象書類名】実用新案登録請求の範囲
【補正対象項目名】全文
【補正方法】変更
【補正の内容】
【実用新案登録請求の範囲】
【請求項１】
円筒状の菓子缶容器（１）の透明や不透明のプラステイック容器の蓋（２）に鉛筆、定規ほかの文房具を挿入出来る複数の任意の形状の穴（３）を設けたことを特徴とする菓子缶容器。
【請求項２】
請求項１記載の菓子缶容器に備わる蓋（２）には色のレパートリーを増やすために任意の色で着色されたことを特徴とする菓子缶容器。
【請求項３】
菓子缶容器（１）の蓋（２）の表面には前記穴（３）の同様の形状を印刷してなる埃よけ用の粘着性のある保護シール（９）を備えることを特徴とする請求項１記載の菓子缶容器。
【請求項４】
菓子缶容器の蓋（２）の材質は透明プラステイックのほか、不透明、半透明プラステイック、ポリエチレンテレフタレート、塩ビ、ポリエステル、ポリスチレーレン、ポリプロピレンを必要に応じて採用することを特徴とする請求項１記載の菓子缶容器。
【請求項５】
円筒状の飲料用容器（１）の透明や不透明のプラステイック容器の蓋（２）に鉛筆、定規、ほかの文房具を挿入出来る複数の任意の形状の穴（３）を設けたことを特徴とする飲料用容器。
(57)【要約】      （修正有）【課題】跳ね上げフレームにおいて、ブリッジ部分に回転機能を納めることにより、見た目の突起物をなくし、特殊樹脂の摺動性と耐磨耗性でスムーズな回転動を可能にした眼鏡枠を提供する。【解決手段】本体フレーム内部の樹脂クッションと前掛フレームの回転体の形状で、跳ね上げ機能を持たせる。本体フレームの一段高いブリッジ部を、前掛けフレーム２の渡６にロー付けされた回転軸７が挿入出来る形状にしておく。本体フレームの連結部の底面には、樹脂クッションが押着出来る段落ちのガイドが設けられている。又、前掛けフレーム２にロー付けされた回転軸７を連結部に挿入し、ネジで保持する。前掛けフレーム２は、軸中心に９０°の回転動をする。【選択図】図２
0003187407.tif 000002
【実用新案登録請求の範囲】
【請求項１】
テンプルに支持された本体フレームと、眼鏡用レンズが装着された前掛フレームをブリッジ部分において、跳ね上げ機構を持たせて連結させたことを特徴とする眼鏡フレーム。
【請求項２】
テンプルに支持された本体フレームと、眼鏡用レンズが装着された前掛フレームをブリッジ部分において、跳ね上げ機構を持たせて連結させたことを特徴とする眼鏡フレームにおいて、連結部分に耐疲労性に優れ、しかも弾性回復性の有る特殊樹脂をクッションとして利用し、前掛フレームを上げた位置、及び下げた位置に固定させることを特徴とした眼鏡フレーム。
【考案の詳細な説明】
【技術分野】
【０００１】
本考案は、本体フレームのブリッジ部分に回転軸と樹脂クッションを納めることにより見た目の突起物をなくし、しかも特殊樹脂の摺動性と耐摩耗性でスムーズな回転動を可能とした跳ね上げ式眼鏡フレームに関するものである。
【背景技術】
【０００２】
従来の跳ね上げ式眼鏡フレームにおいては、回転させるために、さまざまな部品を取り付ける方法しか取れなかった。そのためフレームの外観を損ないデザインも制限されてきた。
【０００３】
また、ブリッジ部分で回転させる跳ね上げ式フレームは、回転軸に樹脂パイプを巻いたりし、軸に対し回転する滑りを止めようといろいろな工夫を凝らして、前掛フレームを固定させる方法をとっていた。
【０００４】
そのため磨耗や劣化により回転軸そのものや回転軸を支える部品に負担がかかり、ある程度回転させると前掛フレームを上に上げた状態で静止しにくくなるという欠点があった。
【考案の概要】
【考案が解決しようとする課題】
【０００５】
本考案は、前述の問題を解決するため、特殊樹脂で形成されたパーツを、本体フレーム・ブリッジ部の底部に押着し、前掛けフレームの回転軸とネジで連結する。樹脂のクッションを利用し、前掛けフレームを上げ下げの位置で固定する方法が技術的課題である。
【課題を解決するための手段】
【０００６】
本考案が上記課題を解決するために採用した手段を、添付図面を参照して説明すれば、次のとおりである。
【０００７】
すなわち本考案は、図１の１本体フレームの一段高いブリッジ部５を、前掛けフレーム２の渡６にロー付けされた回転軸７が挿入出来る形状にしておく。
【０００８】
図１-１、本体フレームの連結部４の底面には、樹脂クッション８が押着出来る段落ち10のガイドが設けられている。又、前掛けフレーム２にロー付けされた回転軸７を連結部４に挿入し、ネジ11で保持する。前掛けフレーム２は、軸中心に90°の回転動をする。
【０００９】
連結する際、本体フレーム１の連結部４の底面の樹脂ガイド10に樹脂クッション８を押着する。前掛フレーム２に取付けられている回転体７を90°跳ね上げた状態で保持し、ネジ11で取付けをする。図２は連結フレームの正面図と上面図で、前掛フレームは、下げた状態である。
【考案の効果】
【００１０】
本考案は、本体フレーム内部の樹脂クッションと前掛フレームの回転体の形状で跳ね上げ機能を持たせることにより、通常フレームの外観を保ち、一定の位置で上げ下げ位置を固定することができる。
【図面の簡単な説明】
【００１１】
【図１】本考案の本体フレームと前掛フレーム
【図２】本考案の連結部の正面図・上面図
【図３】本考案の連結部・回転体 ，樹脂クッション及び関連図
【符号の説明】
【００１２】
１   本体フレーム
２   前掛フレーム
３   連結フレーム
４   連結部
５   ブリッジ部
６   渡
７   回転軸
８   樹脂クッション
９   樹脂ガイド
10  連結ネジ
【図１】
0003187407.tif 000003
【図２】
0003187407.tif 000004
【図３】
0003187407.tif 000005
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
本体フレームと、レンズが装着された前掛フレームとからなる眼鏡フレームであって、前記本体フレームのブリッジ部と前記前掛フレームの渡とが、回転軸を介して連結されていることを特徴とする眼鏡フレーム。
【請求項２】
前記ブリッジ部において凸状の樹脂クッションと、前記渡の回転軸周囲において断面２ヶ所に凹状部を有する樹脂ガイドとをさらに備えることにより、前掛フレームを上げた位置、下げた位置に固定することが可能な請求項１に記載の眼鏡フレーム。
(57)【要約】      （修正有）【課題】サブ基板をメイン基板に略直立状態に実装する際に、半田フロー等の自動実装を可能とし、かつ基板間に隙間が生じても半田ボールが形成されにくい接続構造を実現した、サブ基板を直立に実装するメイン基板の構造を提供する。【解決手段】サブ基板１１と、メイン基板２１と、サブ基板１１をメイン基板２１に挿入するためのサブ基板挿入スリットと、サブ基板１１とメイン基板２１を半田接続するための半田パッドを備え、サブ基板１１の半田パッドとメイン基板２１の半田パッドおよびサブ基板挿入スリットの拡大穴部とが半田付けされている構造である。【選択図】図４
0003187469.tif 000002
【実用新案登録請求の範囲】
【請求項１】
１以上のサブ基板を略直立状態に実装するメイン基板の構造であって、
前記サブ基板を略直立状態に保持するためのスリット状のサブ基板挿入スリットと、前記サブ基板挿入スリットの前記サブ基板に形成されている基板接続端子と対向する部位に形成された前記スリットの部分的な幅を拡大する孔部と、前記孔部の周辺に形成された半田パッドと、を有し、
前記孔部の前記サブ基板に形成されている基板接続端子と対向する壁面部は、金属メッキされていることを特徴とするサブ基板を直立に実装するメイン基板の構造。
【考案の詳細な説明】
【技術分野】
【０００１】
本考案は、メイン基板にサブ基板を直立状態に実装するメイン基板の構造に関する。
【背景技術】
【０００２】
従来、メイン基板に、アンテナ基板のようなサブ基板を直立に実装して両基板の端子を半田接続する技術として、サブ基板挿入スリット部に設けられた導体ランド部にスルーホールを設け、スルーホール内部に半田を流入させて固定し、接続の機械的強度を強化する技術がある（例えば、特許文献１）。
【０００３】
しかしながら、特許文献１に記載された技術は、半田フロー等による実装については考慮されておらず、手半田付けによる実装の工数が多いという問題があった。また、プリント基板の仕上がり寸法誤差によりメイン基板とサブ基板との勘合部に隙間が生じる可能性についても考慮されておらず、隙間から半田が流れ込むことで半田ボールが形成され、基板に実装された電子部品がショートする恐れがあった。
【先行技術文献】
【特許文献】
【０００４】
【特許文献１】特開２００７−１２３４５６号公報
【考案の概要】
【考案が解決しようとする課題】
【０００５】
そこで、本考案の課題は、サブ基板をメイン基板に接続する際に半田フロー等の自動実装を可能とし、かつ基板間に隙間が生じても半田ボールが形成されにくい接続構造を提供することにある。
【課題を解決するための手段】
【０００６】
上記課題を解決するために、本考案は、１以上のサブ基板を略直立状態に実装するメイン基板の構造であって、前記サブ基板を略直立状態に保持するためのスリット状のサブ基板挿入スリットと、前記サブ基板挿入スリットの前記サブ基板に形成されている基板接続端子と対向する部位に形成された前記スリットの部分的な幅を拡大する孔部と、前記孔部の周辺に形成された半田パッドと、を有し、前記孔部の前記サブ基板に形成されている基板接続端子と対向する壁面部は、金属メッキされていることを特徴とする。
【考案の効果】
【０００７】
サブ基板をメイン基板に接続する際に、実装工数を大幅に削減できる半田フロー等の自動実装を可能とし、かつ基板間に隙間が生じても半田ボールが形成されにくい接続構造を提供できる。
【図面の簡単な説明】
【０００８】
【図１】本考案による一実施例のサブ基板を示す図である。
【図２】本考案による一実施例のメイン基板を示す図である。
【図３】本考案による一実施例のメイン基板のサブ基板挿入スリットを示す図である。
【図４】本考案による一実施例のメイン基板にサブ基板を実装した図である。
【考案を実施するための形態】
【０００９】
以下、図面を参照して本考案の実施の形態について詳細を説明する。
【００１０】
図１は本考案による一実施例のサブ基板を示す図である。１１はサブ基板であり、電気回路等がサブ基板１１上にパターンとして形成されている。１２はメイン基板と接続するための半田パッドであり、サブ基板１１の片面あるいは両面に設ける。
【００１１】
図２は本考案による一実施例のメイン基板を示す図である。２１はメイン基板、２２はサブ基板を挿入するためのサブ基板挿入スリットである。２３はサブ基板と接続するための半田パッドであり、メイン基板２１の片面あるいは両面に設ける。メイン基板２１側にサブ基板１１を挿入するサブ基板挿入スリット２２及び半田パッド２３を設け、サブ基板１１を挿入し半田フローすることにより、実装工数を低減することができる。
【００１２】
図３は本考案による一実施例のメイン基板のサブ基板挿入スリットを示す図である。３１はサブ基板１１をメイン基板２１に半田付け接続する際に半田を流し込むためのサブ基板挿入スリットの拡大穴部であり、壁面に金属メッキを施すことにより半田が付着する。また、サブ基板挿入スリット２２の拡大穴部３１を円形状に部分的な幅を拡大することにより、サブ基板１１を挿入した際に隙間を作ることでより多くの半田を流し込んで機械的な強度を増すことができる。
【００１３】
図４は本考案による一実施例のメイン基板にサブ基板を実装した図である。サブ基板１１をメイン基板２１のサブ基板挿入スリット２２に挿入し、サブ基板１１の半田パッド部１２とメイン基板２１の半田パッド部２３とを半田付けすることにより、電気的に接続されると共に、略直立状態に実装する。
【００１４】
尚、サブ基板１１の厚みとメイン基板２１のサブ基板挿入スリット２２の幅については、出来る限り同じくすることが望ましい。また、メイン基板２１のサブ基板挿入スリット２２の部分的な幅を拡大するサブ基板挿入スリットの拡大穴部３１の壁面部は金属メッキされているため、半田フロー時にサブ基板１１が傾きにくくなると共に、半田がメイン基板２１の裏面に流れ込みにくい構造としている。
【符号の説明】
【００１５】
１１  サブ基板
１２  半田パッド（サブ基板）
２１  メイン基板
２２  サブ基板挿入スリット
２３  半田パッド（メイン基板）
３１  サブ基板挿入スリットの拡大穴部
【図１】
0003187469.tif 000003
【図２】
0003187469.tif 000004
【図３】
0003187469.tif 000005
【図４】
0003187469.tif 000006
(57)【要約】      （修正有）【課題】空気の中の微細なゴミや、細菌類、カビ類を焼却、消失する滅菌機を提供する。【解決手段】たくさんの細長いセラミック管群の中央部にはニクロム線Ｅを持ちその周りに中空のセラミック管群を持つセラミック管集合体の一方の端には送風機Ｃと空気誘導板Ｄとを持ち他方の端付近には殺菌灯Ｂを持つ構造の空中細菌類滅菌機。【選択図】図１
0003187500.tif 000002
【実用新案登録請求の範囲】
管内にニクロム線を有するセラミック管群の周りには中空のセラミック管群を有する管集合体の片方の入口には送風機と空気誘導板とを持ち他方の出口付近には殺菌灯を有する構造の空中細菌類の滅菌機
【考案の詳細な説明】
【考案の利用分野】
【０００１】            環境衛生に関するものである
【背景技術】
【０００２】            人は皆きれいな空気の中で生活したいという願望を持っており、ゴミの中や不衛生な場所にいることを避けてきた。殊に病原菌のいるところは避けてきたが小さなゴミ、殊に人に害のあるゴミをさけてきた。マスクをしたり、風をとおしたり、除塵機をつかったりしてきた。除塵機やいろいろの材質のフィルターをつかってきた。そしていろいろな材質の濾過機を使い吸着、濾過してその目的をはたしてきた空気清浄器であるが゛近来はイオンを使ったものが広く用いられている
又われわれが開発した空気清掃機は高熱になった金網やセラミックを使ったものである。【０００３】我々が開発した空気清掃機は高熱になった金属網やセラミックを用い、これに対して空気を吹き付け空気中に含まれた微細なゴミ、細菌、カビ類を焼却、消失しようとしたものである。これを寒天培養を用いてその効果をみてみるとゴミや細菌は６０分後にほとんど消失し、９０分から１２０分たつとまったくと言ってよいほど消滅するが、カビ類はかなり頑固で９０分から１２０分後の寒天培地の中でも広がっている状況であった。そこでいろいろ改良を加えた結果良い成績を得たのである。
【課題を解決しょうとする手段】
【０００４】          我々が開発した空気清掃機は高温になった金属網やセラミック板（穴や隙間をもついるので）に向かって空気を吹き付けそこから出てきた空気がきれいであるようにしたものであるが  かび類は中々頑固で３時間機械を稼働させてもびくともしないで発育している。そこでいろいろ改良を加えてやっと良い結果を得る事が出来たのである
。
【０００５】          いろいろ試行錯誤した結果送風機により空気の流れを誘導板を使って一定方向に流し、高温となったセラミック管集合体の中央部に重点的に吹き付けるのである。そして好結果を得たのである。
【実施例】
【０００６】            電源を入れるとニクロム線は熱を持ち送風機は空気をおくる。そして汚れた空気は空気誘導板に導かれ高熱になったニクロム線のところを通り、ごみ、細菌、カビ類は焼却され消失してしまうのである。
【本考案の効果】
【０００７】            本考案の空気中細菌類の滅菌機を用いると空気中の微細なごみ、細菌、カビ類の菌糸、胞子、は
焼却、消失する。厄介なＭＲＳＡ  菌も、頑固なカビ類も発育が阻止
され、寒天培地の中にも姿をみせないのである。いろいろと滅菌作用があるのでさらに人や鶏牛豚等の家畜類においても空気伝染による疾患群例えばインフルエンザビ−ルス等に対してもある程度有効であろうと期待されるのである。
【図面の簡単な説明】
【０００８】
【図１】  斜位図
【図２】  正面図
【図３】  側面図
【図４】  水平面図
【記号の説明】
Ａ．．．．．．．．．．．．．．．．．．空気の入り口
Ｂ．．．．．．．．．．．．．．．．．．殺菌灯
Ｃ．．．．．．．．．．．．．．．．．．送風機
Ｄ．．．．．．．．．．．．．．．．．．空気誘導板
Ｅ．．．．．．．．．．．．．．．．．．ニクロム線
Ｆ．．．．．．．．．．．．．．．．．．空気の出口
Ｇ．．．．．．．．．．．．．．．．．．耐熱煉瓦
【図１】
0003187500.tif 000003
【図２】
0003187500.tif 000004
【図３】
0003187500.tif 000005
【図４】
0003187500.tif 000006
【手続補正書】
【提出日】平成25年8月23日(2013.8.23)
【手続補正１】
【補正対象書類名】実用新案登録請求の範囲
【補正対象項目名】全文
【補正方法】変更
【補正の内容】
【実用新案登録請求の範囲】
【請求項１】
管内にニクロム線を有する複雑の中空のセラミック管からなる管集合体と前記管集合体の一方側に送風機と空気誘導板と前記管集合体の他方側に殺菌灯とを有することを特徴とする空中細菌類の滅菌機
(57)【要約】      （修正有）【課題】入院患者等が点滴針や輸液ポンプチューブを装着したまま入浴出来、湯水の浸透に因る細菌等からの感染も防止できる防水ソフトカバーを提供する。【解決手段】点滴針や怪我部分を覆う柔らかい筒状薄ゴム部２の両端にリング状幅広伸縮ゴム部３，４を設ける。筒状薄ゴム部と上腕部と袖口締めの付け部のリング状幅広伸縮ゴム部を一体化してもよい。【選択図】図２
0003187493.tif 000002
【実用新案登録請求の範囲】
【請求項１】
腕に装着し怪我部分や点滴針等を覆い湯水等の浸透防止用の防水ソフトカバー。
【請求項２】
点滴針や怪我部分を覆う柔らかい筒状薄ゴムと上腕部と袖口締め付け部のリング状幅広伸縮ゴムを一体化した事を特徴とする請求項１に記載の防水ソフトカバー。
【考案の詳細な説明】
【技術分野】
【０００１】本考案は、入院患者が入浴の際、点滴用針部分からの細菌浸透に因る感染防止の為の点滴針及び輸液ポンプ用延長チューブ等の脱着の苦痛より解放される防水ソフトカバーである
【背景技術】
【０００２】入院中本来なら装着のままの点滴用針及び輸液ポンプ用延長チューブだが入浴の為だけに脱着する際の痛みや煩わしさ等から入浴が億劫になり仕方がなく拭身だけですませる人もいる。
【考案が解決しようとする課題】
【０００３】本考案は上記の背景を解決出来るように簡単に脱着が出来る防水ソフトカバーを提案した。
【課題を解決するための手段】
【０００４】図１は本考案にかかる防水ソフトカバーの全体図であり、防水ソフトカバーは点滴針や輸液ポンプチューブ等をすっぽりと包み込む筒状薄ゴム部の図１−２と両端袖口のリング状幅広伸縮ゴム部の図１−３と図１−４の一体化加工である。図２は防水ソフトカバーの装着図である。
【０００５】さらにこの防水ソフトカバーは自分で簡単に装着出来、腕も自在に動かすことが出来る。
【考案の効果】
【０００６】本考案の防水ソフトカバーは、入院中の入浴の際点滴針部分からの細菌等の浸透に因る感染を防止する目的の物である。また本考案の防水ソフトカバーは、点滴針箇所等を覆う部分は緩く、両端の袖口部分は幅広伸縮ゴム使用で密着締め付けし、湯水の浸透を防ぐので洗髪や洗体の動作も不自由無く安心して入浴する事が出来、湯水の浸透に因る細菌等の感染防止となる。
【図面の簡単な説明】
【０００７】
【図１】防水ソフトカバーの平面図である。
【図２】防水ソフトカバーの装着図である。
【符号の説明】１  防水ソフトカバー本体
２  筒状薄ゴム部
３  幅広伸縮ゴム袖口上腕部
４  幅広伸縮ゴム袖口手首部
【図１】
0003187493.tif 000003
【図２】
0003187493.tif 000004
【手続補正書】
【提出日】平成25年5月15日(2013.5.15)
【手続補正１】
【補正対象書類名】実用新案登録請求の範囲
【補正対象項目名】全文
【補正方法】変更
【補正の内容】
【実用新案登録請求の範囲】
【請求項１】
腕に装着し怪我部分や点滴針等を覆い湯水等の浸透防止用の完全防水ソフトカバ−で薄くて丈夫なゴムを使用し両端をリングゴムにて締める事を特徴とする。
【請求項２】
点滴針や怪我部分を覆う柔らかい筒状薄ゴムと上腕部と袖口締め付け部にリング状幅広伸縮ゴムを一体化した事を特徴とする請求項１に記載の完全防水ソフトカバ−。
【手続補正書】
【提出日】平成25年9月6日(2013.9.6)
【手続補正１】
【補正対象書類名】実用新案登録請求の範囲
【補正対象項目名】全文
【補正方法】変更
【補正の内容】
【実用新案登録請求の範囲】
【請求項１】
点滴針や怪我部分を覆う柔らかい筒状薄ゴムの両端にリング状幅広伸縮ゴムを設けてなることを特徴とする防水ソフトカバー。
【請求項２】
点滴針や怪我部分を覆う柔らかい筒状薄ゴムと上腕部と袖口締めの付け部のリング状幅広伸縮ゴムを一体化した事を特徴とする請求項１に記載の防水ソフトカバー。
【手続補正２】
【補正対象書類名】明細書
【補正対象項目名】全文
【補正方法】変更
【補正の内容】
【考案の詳細な説明】
【技術分野】
【０００１】本考案は院患者が入浴の際点滴用針部分からの細菌浸透に因る感染防止の為の点滴針及び輸液ポンプ用延長チューブ等の脱着の苦痛より解放される防水ソフトカバーである
【背景技術】
【０００２】入院中本来なら装着のままの点滴用針及び輸液ポンプ用延長チューブだが入浴の為だけに脱着する際の痛みや煩わしさ等から入浴が億劫になり仕方なく拭身だけですませる人もいる。
【考案が解決しようとする課題】
【０００３】本考案は上記の背景を解決出来るように簡単に脱着が出来る防水ソフトカバーを提案した。
【０００４】図１は本考案にかかる防水ソフトカバーの全体図であり防水ソフトカバーは点滴針や輸液ポンプチューブ等をすっぽりと包み込む筒状薄ゴム部の図１−２と両端袖口のリング幅広伸縮ゴム部の図１−３と図１−４の一体化加工である。図２は防水ソフトカバーの装着図である。
【０００５】さらにこの防水ソフトカバーは自分で簡単に装着出来腕も自在に動かすことが出来る。
【考案の効果】
【０００６】本考案の防水ソフトカバーは入院中の入浴の際点滴針部分からの細菌等の浸透に因る感染を防止する目的の物である。また本考案の防水ソフトカバーは点滴針箇所等を覆う部分は緩く動作も不自由無く安心して入浴する事が出来て湯水の浸透に因る細菌等の感染防止となる。
【図面の簡単な説明】
【０００７】
【図１】防水ソフトカバーの平面図である。
【図２】防水ソフトカバーの装着図である。
【符号の説明】１  防水ソフトカバー本体
２  筒状薄ゴム部
３  幅広伸縮ゴム袖口上腕部
４  幅広伸縮ゴム袖口手首部